(57)【特許請求の範囲】
【請求項１】
複数の弧状部材が連続して軸着された開閉自在のリング状部材と、前記リング状部材の両端部に取り付けられたサイズ調整機構とからなり、前記サイズ調整機構を介して所望の径のリング形状に調整可能なフリーサイズ指輪であって、
前記サイズ調整機構は、前記リング部材の一方の端部に取り付けられ、側部に左右一対の開放部を備えた板バネ収納凹部を有する挿入部材と、
１枚の板バネからなり、屈曲させることにより前記板バネ収納凹部の前記左右一対の開放部と対応する位置に左右一対の係合凸部を形成させるとともに、前記左右一対の係合凸部どうしの中間位置に抜け止め凸部を形成させた板バネであって、前記板バネ収納凹部に収納されるとともに前記左右一対の開放部から前記左右一対の係合凸部を突出させ、前記抜け止め凸部を前記板バネ収納凹部の前記抜け止め凸部と対応する位置に設けた抜け止め凹部に係合させるようにした板バネと、
前記リング状部材の他方の端部に取り付けられ、前記挿入部材を挿入可能な中空内部を有し、前記中空内部の側部の前記左右一対の係合凸部と対応する位置に複数の係合孔を備えてなる受け部材とからなり、
前記挿入部材を前記受け部材の中空内部に挿入して、前記左右一対の係合凸部が前記係合孔に係合することにより指輪のサイズを調整することができるようにしたことを特徴とするフリーサイズ指輪。
【請求項２】
前記複数の係合孔どうしが、指輪のサイズの号数に応じた間隔で配置してなることを特徴とする請求項１に記載のフリーサイズ指輪。
【発明の詳細な説明】
【技術分野】
【０００１】
本発明は、着用者の装着させる指の径に合わせて、自在にサイズを調整することができるフリーサイズ指輪に係るものである。
【背景技術】
【０００２】
従来より、リング状の形状を保ちながら、指にフィットさせられるフリーサイズ指輪が提案されており、例えば、特開２００２−３５５１０７号公報（特許文献１参照）には、円環状態を保ちながら、指に適切にフィットさせることができるフリーサイズ機能を持った指輪を提供するため、回動環構成体とスライド側環構成体とは、スライド側環構成体に形成されたガイド孔に回動環構成体に備え付けられた案内ピンを入れ込ませて組み付けられ、回動環構成体と軸受け側環構成体とは、回動軸によって回動環構成体の指輪の内径を広げさせる向きの回動を許容した状態で組み付けられ、軸受け側環構成体の内側には、バネの一端を一方の回動環構成体の一端部における回動軸より先の末端部に内側から押し当てさせ、かつ、バネの他端を他方の回動環構成体の一端部における回動軸より先の末端部に内側から押し当てさせる板バネが備えられた構造を備えた指輪が提案されている。
【０００３】
また、特許第４４２３４４８号公報（特許文献２参照）には、円弧形状からなる片を連結し、環状体を形成した指輪であって、前記環状体の一部を構成し内部寸法の調節に用いられる調節片と、前記調節片に連結され前記環状体の残部を構成する連結片とを具備し、前記調節片及びこれに連接する前記連結辺には、一方が他方側に向けて延在し内部に溝部が形成された挿入部を有し、他方が前記挿入部を収容する収容部と、前記収容部内に配置され前記溝部内を段階的に移動可能な保持部材とを有して、前記調節片とこれに隣接する前記連結片とを離接する離接機構を備えたことを特徴とする指輪が提案されている。
【０００４】
さらに、特許第４４２３４４８号公報（特許文献３参照）には、リングの大部分を構成する第１リング部材と、前記各部材を連結する止ネジと、前記リングの一部として配置された左右一対の第２リング部材と、前記第２リング部材の突き合わせ位置に設けたスリット部に組み付けられて側面にガイド孔を設けたガイド部材とで構成され、前記第１リング部材との間を止ネジで連結されたサイズ調整部材とを備え、前記第２リング部材のスリット部に設けたピンを前記ガイド部材のガイド孔にはめ込んでスライド可能とするとともに、前記サイズ調整部材を用いて長さ調整した状態で前記止ネジを締め付けて固定することにより、サイズ調整するようにしたフリーサイズ指輪が提案されている。
【先行技術文献】
【特許文献】
【０００５】
【特許文献１】特開２００２−３５５１０７号公報
【特許文献２】特許第４４２３４４８号公報
【特許文献３】特許第３１８９９８３号公報
【発明の概要】
【発明が解決しようとする課題】
【０００６】
しかるに、特開２００２−３５５１０７号公報（特許文献１）においては、前記板バネの弾性変形によって一対の回動環構成体は指輪の内径を狭めさせる向きの付勢力を付与しており、前記板バネの両端部にはそれぞれ前記回動環構成体の末端部によって当該両端部を指輪の内方に押し込ませる向きの伸縮方向の力が作用するので、指のサイズよりも指輪のサイズが小さい場合には非常に強い板バネの反発力が作用して締め付けすぎの状態となり、長時間の装着には堪えられないようになってしまう。
【０００７】
また、特許第４４２３４４８号公報（特許文献２）においては、前記収容部内に配置され前記溝部内を段階的に移動可能な保持部材とを備えており、サイズの調整が段階的に行われるために指にフィットした指輪を得ることが難しく、製造面においても細かくて複雑な切削加工が必要であって、そのことがコストアップの要因となっていた。
【０００８】
さらに、特許第４４２３４４８号公報（特許文献３）においては、前記フリーサイズ指輪を実際に指に装着してみると、前記フリーサイズ指輪では装着した指へのフィット感に乏しく、長さ調整における位置決めも容易ではないという欠点があった。
【課題を解決するための手段】
【０００９】
そこで、本発明に係るフリーサイズ指輪においては、複数の弧状部材が連続して軸着された開閉自在のリング状部材と、前記リング状部材の両端部に取り付けられたサイズ調整機構とからなり、前記サイズ調整機構を介して所望の径のリング形状に調整可能なフリーサイズ指輪であって、前記サイズ調整機構は、前記リング部材の一方の端部に取り付けられ、側部に左右一対の開放部を備えた板バネ収納凹部を有する挿入部材と、１枚の板バネからなり、屈曲させることにより前記板バネ収納凹部の前記左右一対の開放部と対応する位置に左右一対の係合凸部を形成させるとともに、前記左右一対の係合凸部どうしの中間位置に抜け止め凸部を形成させた板バネであって、前記板バネ収納凹部に収納されるとともに前記左右一対の開放部から前記左右一対の係合凸部を突出させ、前記抜け止め凸部を前記板バネ収納凹部の前記抜け止め凸部と対応する位置に設けた抜け止め凹部に係合させるようにした板バネと、前記リング状部材の他方の端部に取り付けられ、前記挿入部材を挿入可能な中空内部を有し、前記中空内部の側部の前記左右一対の係合凸部と対応する位置に複数の係合孔を備えてなる受け部材とからなり、前記挿入部材を前記受け部材の中空内部に挿入して、前記左右一対の係合凸部が前記係合孔に係合することにより指輪のサイズを調整することができるようにしたことを特徴とするものである。
【００１０】
本発明に係るフリーサイズ指輪において前記複数の係合孔どうしが、指輪のサイズの号数に応じた間隔で配置してなることをも特徴とするものである。
【発明の効果】
【００１１】
この発明によれば、着用者の装着させる指の径に合わせて、自在にサイズを調整することができ、そのサイズ調整における位置決めは、指輪のサイズの号数ごとに快適な手ごたえとともに容易に位置決めをすることができ、その時々の着用者の気分、着用環境に応じて装着する指を選択し、その指の径に応じて快適な使用感とともに容易にサイズを調整することができ、あらゆる着用場面に対応することができるフリーサイズ指輪を提供することが可能となった。
【図面の簡単な説明】
【００１２】
【図１】本発明のフリーサイズ指輪の１実施例を示すものであり、挿入部材を受け部材に挿入して左右一対の係合凸部が大きい径のリング形状となる位置の係合孔に係合した状態の、（ａ）はその概略正面図、（ｂ）はその概略透視正面図である。
【図２】その概略断面図である。
【図３】その概略斜視図である。
【図４】本発明のフリーサイズ指輪の分解状態の概略斜視図である。
【図５】その、板バネを挿入部材の板バネ収納凹部に収納した状態の概略斜視図である。
【図６】その概略断面図である。
【図７】サイズ調整機構を構成する挿入部材において板バネを挿入部材の板バネ収納部に収納しようとする状態を示し、（ａ）はその要部概略図、（ｂ）はその要部概略断面図である。
【図８】サイズ調整機構を構成する挿入部材において板バネを挿入部材の板バネ収納部に収納した状態を示し、（ａ）はその要部概略図、（ｂ）はその要部概略断面図である。
【図９】サイズ調整機構のサイズ調整手順を示し、（ａ）は挿入部材を受け部材に挿入しようとする状態の概略図、（ｂ）は挿入部材を受け部材に挿入した初期段階の状態の概略図、（ｃ）は挿入部材を受け部材にさらに挿入して左右一対の係合凸部が係合孔に係合した状態の概略図である。
【図１０】サイズ調整機構のサイズ調整手順を示し、（ａ）は挿入部材を受け部材に挿入して左右一対の係合凸部が大きい径のリング形状となる位置の係合孔に係合した状態の概略図、（ｂ）は挿入部材を受け部材にさらに挿入した状態の概略図、（ｃ）は挿入部材を受け部材に挿入して左右一対の係合凸部が小さい径のリング形状となる位置の係合孔に係合した状態の概略図である。
【図１１】挿入部材を受け部材に挿入して左右一対の係合凸部が小さい径のリング形状となる位置の係合孔に係合した状態を示し、（ａ）はその概略正面図、（ｂ）はその概略透視正面図である。
【図１２】その概略断面図である。
【図１３】弧状部材に唐草模様を刻印した状態の概略図である。
【発明を実施するための形態】
【００１３】
以下、図面に基いて本発明のフリーサイズ指輪の実施の形態について詳細に説明する。
図１ないし図１２は本発明のフリーサイズ指輪の１実施例を示すものである。
まず、図１ないし図６に示すように、本発明のフリーサイズ指輪１１は、複数の弧状部材２２，２３，２４，２５が連続して軸ピン２６を介して軸着される開閉自在のリング状部材２１と、前記リング状部材２１の両端部に取り付けられた挿入部材４１および受け部材６１からなるサイズ調整機構３１と、から構成されている。
【００１４】
前記リング状部材２１は、前記複数の弧状部材２２，２３，２４，２５が連続して軸ピン２６を介して軸着されるものであるが、より詳しくは、まず、前記孤状部材２３の一方の端部に設けた凸片２３ｂを、この凸片２３ｂを挟み付けるように前記孤状部材２４の一方の端部に設けたコ字状片２４ａに差し込み、前記軸ピン２６を前記凸片２３ｂと前記コ字状片２４ａとにそれぞれ形成した貫通孔２６ａに取り付けて前記孤状部材２３と前記孤状部材２４とを軸着させている。そして、前記孤状部材２３の他方の端部に設けた凸片２３ａを、この凸片２３ａを挟み付けるように前記孤状部材２２の一方の端部に設けたコ字状片２２ａに差し込み、前記軸ピン２６を前記凸片２３ａと前記コ字状片２２ａとにそれぞれ形成した貫通孔２６ａに取り付けて前記孤状部材２２と前記孤状部材２３とを軸着させている。
【００１５】
また、前記孤状部材２４の他方の端部に設けた凸片２４ｂを、この凸片２４ｂを挟み付けるように前記孤状部材２５の一方の端部に設けたコ字状片２５ａに差し込み、前記軸ピン２６を前記凸片２４ｂと前記コ字状片２５ａとにそれぞれ形成した貫通孔２６ａに取り付けて前記孤状部材２４と前記孤状部材２５とを軸着させている。
このように、前記リング状部材２１は、前記複数の孤状部材２２，２３，２４，２５が前記軸ピン２６を介して連続して軸着されており、前記孤状部材２２と前記孤状部材２５とから形成される開放部分を自在に開閉することができるようにしてある。
なお、本実施例では複数の孤状部材として、４組の孤状部材としているがこれに限られるものではなく、用途に合わせて任意の組数の孤状部材とすることができる。また、前記孤状部材には、図１３に示すように、唐草模様を刻印することができ、本発明のフリーサイズ指輪１１の装飾性を向上させることもできる。
【００１６】
前記サイズ調整機構３１は、前記リング部材２１の前記孤状部材２２と前記孤状部材２５とから形成される開放部分に設けられた挿入部材４１と受け部材６１とからなるものである。
まず、前記サイズ調整機構３１を構成する前記挿入部材４１は、側部に左右一対の開放部４２ａを備えた板バネ収納凹部４２を有し、前記リング状部材２１を構成する前記孤状部材２２の他方の端部に取り付けられている。そして、前記板バネ収納凹部４２には、屈曲させることにより前記板バネ収納凹部４２の前記左右一対の開放部４２ａと対応する位置に左右一対の係合凸部５１ａを形成させた板バネ５１が収納されている。このとき、前記板バネ５１は、前記板バネ収納凹部４２に収納されるとともに前記左右一対の開放部４２ａから前記左右一対の係合凸部５１ａを突出させてある。
【００１７】
また、前記サイズ調整機構３１を構成する前記受け部材６１は、前記挿入部材４１を挿入可能な中空内部６２を有し、前記中空内部６２の側部の前記左右一対の係合凸部５１ａと対応する位置には複数の係合孔６２ａを備え、前記リング状部材２１を構成する前記孤状部材２５の他方の端部に取り付けられている。
したがって、前記挿入部材４１を前記受け部材６１の中空内部６２に挿入して、前記左右一対の係合凸部５１ａに外圧が加わると、前記板バネ５１の弾性により前記左右一対の係合凸部５１ａは外圧に抗しながら前記板バネ収納凹部４２の内部に向け後退し、前記左右一対の係合凸部５１ａが前記係合孔６２ａに係合することにより前記挿入部材４１の前記受け部材６１の中空内部６２における位置決めを行うことができ、フリーサイズ指輪１１のサイズを調整することができるのである。
【００１８】
次に、図７ないし図１０を用いて、前記サイズ調整機構３１の構成とサイズ調整手順を詳細に説明する。
図７に示すように、前記サイズ調整機構３１を構成する挿入部材４１は、前記リング状部材２１を構成する前記孤状部材２２の端部に取り付けられており、側部に前記左右一対の開放部４２ａを備えた前記板バネ収納凹部４２が形成されている。また、前記板バネ収納凹部４２に収納される前記板バネ５１には、あらかじめ屈曲させて前記板バネ収納凹部４２の前記左右一対の開放部４２ａと対応する位置に左右一対の係合凸部５１ａを形成させてある。
そして、図８に示すように、前記板バネ５１を前記板バネ収納凹部４２に収納するのであるが、このとき、前記板バネ５１の前記左右一対の係合凸部５１ａは前記左右一対の開放部４２ａから突出するようにしてあるので、前記左右一対の係合凸部５１ａに外圧が加わると、前記左右一対の係合凸部５１ａは前記板バネ５１の弾性により外圧に抗しながら前記板バネ収納凹部４２の内部に後退することができるのである。
【００１９】
なお、本実施例において、前記板バネ５１は、１枚の板バネからなり、屈曲させることにより前記左右一対の係合凸部５１ａを形成させるとともに、前記左右一対の係合凸部５１ａどうしの中間位置に抜け止め凸部５１ｂを形成させてある。そして、前記挿入部材４１の前記板バネ収納凹部４２には、前記抜け止め凸部５１ｂと対応する位置に抜け止め凹部４２ｂを設けてあり、前記板バネ５１を前記板バネ収納凹部４２に収納するとともに、前記抜け止め凸部５１ｂを前記抜け止め凹部４２ｂに係合させて、前記板バネ５１の前記板バネ収納凹部４２からの抜け落ち・脱落を防止するようにしてある。
もちろん、前記板バネ５１の前記板バネ収納凹部４２からの脱落を防止する方法としては、上述の抜け止め防止構造のほか、前記板バネ収納凹部４２の上面に蓋部（図示せず）を取り付ける方法、前記板バネ５１の上部を覆う係合板（図示せず）を形成させる方法、その他本発明の要旨を変更しない範囲であればどのような方法であっても良い。
【００２０】
前記サイズ調整機構３１のサイズ調整手順は、まず、図９（ａ）に示すように、前記挿入部材４１を前記受け部材６１の中空内部６２に挿入し、図９（ｂ）に示すように、前記左右一対の係合凸部５１ａに外圧が加わると、前記板バネ５１の弾性により前記左右一対の係合凸部５１ａは外圧に抗しながら前記板バネ収納凹部４２の内部に向け後退し、図９（ｃ）に示すように、前記左右一対の係合凸部５１ａが前記係合孔６２ａに係合することにより前記挿入部材４１の前記受け部材６１の中空内部６２における位置決めを行う。このとき、前記左右一対の係合凸部５１ａを、前記受け部材６１の先端側の係合孔６２ａに係合させると、大きい径のフリーサイズ指輪とすることができる。
そして、図１０（ａ）から図１０（ｂ）に示すように、前記挿入部材４１を前記受け部材６１の中空内部６２にさらに挿入し、図１０（ｃ）に示すように、前記左右一対の係合凸部５１ａを、前記受け部材６１の軸着側の係合孔６２ａに係合させると小さい径のフリーサイズ指輪とすることができる。
図１１および図１２は、前記左右一対の係合凸部５１ａを、前記受け部材６１の軸着側の係合孔６２ａに係合させて小さい径のフリーサイズ指輪とした状態を示すものである。
【００２１】
本発明のフリーサイズ指輪１１において、前記複数の係合孔６２ａどうしの間隔は、指輪のサイズの号数に応じたものとしてある。したがって、着用者は、自らの装着する指の径にあわせて本発明のフリーサイズ指輪１１のサイズを調整するだけでよく、着用者の属性を問わず、あらゆる着用者の指の径に応じたサイズの、非常にフィット感の良好な指輪とすることができる。
さらに、前記サイズ調整機構３１は、前記左右一対の係合凸部５１ａが前記係合孔６２ａに係合するたびに非常に快適な手ごたえとともに位置決めすることができるので、非常に使用感の良い指輪を提供することができる。特に、本発明のフリーサイズ指輪１１は、前記挿入部材４１または前記弧状部材２２と、前記受け部材６１または前記弧状部材２５とをそれぞれ指でつまんで操作することにより、前記左右一対の係合凸部５１ａが前記係合孔６２ａに係合するたびに、係合による非常に快適な手ごたえを感じ取ることができ、非常に使用感を得ることができる。
【００２２】
また、前記受け部材６１は、上面に装飾性を施すことができるほか、その他の装飾部材を直接取り付け、あるいは装飾部材の基台として用いることができる。
本発明において使用される素材としては、通常の指輪に使用される貴金属素材、例えば金や銀、プラチナのみならず、チタンやステンレス等の金属やセラミック等を各部材に使用することができる。
本発明は以上の通りの構成を有するものであり、指の径に合せたサイズとすることができるため、指に強く圧着することなく非常にフィット感の良好な装着することができるものであり、長時間の装着にも痛みを伴わないという大きな利点がある。
また、前記サイズ調整部材におけるサイズ調整機構は、指でつまんで操作する際に非常に快適な手ごたえを感得することができ、非常に使用感の良好な指輪を提供することができる。
さらに、前記サイズ調整部材を構成する受け部材は、自ら装飾性を施したものとすることができるほか、装飾部材を取り付け、あるいは装飾部材の基台として用いることができ、装飾性を損なうこともないので、装飾性に優れた指輪を提供することが可能となる。
【産業上の利用可能性】
【００２３】
以上、本発明を指輪をもって説明したが、装飾部材を複数に分割し、サイズ調整機構を備えてなるものであれば、その他の装身具に適用できることは勿論であり、例えばブレスレットやアンクレット等にも用いることができる。
【符号の説明】
【００２４】
１１  フリーサイズ指輪
２１  リング状部材
２２  弧状部材
２２ａ  コ字状片
２３  弧状部材
２３ａ  凸片
２３ｂ  凸片
２４  弧状部材
２４ａ  コ字状片
２４ｂ  凸片
２５  弧状部材
２５ａ  コ字状片
２６  軸ピン
３１  サイズ調整機構
４１  挿入部材
４２  板バネ収納凹部
４２ａ  左右一対の開放部
４２ｂ  抜け止め凹部
５１  板バネ
５１ａ  左右一対の係合凸部
５１ｂ  抜け止め凸部
６１  受け部材
６２  中空内部
６２ａ  係合孔
【要約】      （修正有）【課題】着用者の装着させる指の径に合わせて、自在にサイズを調整することができるフリーサイズ指輪を提供する。【解決手段】開閉自在のリング状部材２１と、前記リング状部材の両端部に取り付けられたサイズ調整機構３１とからなり、前記サイズ調整機構は前記リング部材の一方の端部に取り付けられ、板バネ収納凹部を有する挿入部材４１と、屈曲させることにより前記板バネ収納凹部の前記左右一対の開放部と対応する位置に左右一対の係合凸部を形成させ、前記左右一対の係合凸部を前記板バネ収納凹部から突出させてなる板バネ５１と、前記リング状部材の他方の端部に取り付けられ、係合孔を有する受け部材６１とからなり、前記挿入部材を前記受け部材に挿入して、前記左右一対の係合凸部が前記係合孔に係合することにより指輪のサイズを調整することができるようにしたことを特徴とするフリーサイズ指輪１１。【選択図】図３【図１】
0006978135.tif 000002
【図２】
0006978135.tif 000003
【図３】
0006978135.tif 000004
【図４】
0006978135.tif 000005
【図５】
0006978135.tif 000006
【図６】
0006978135.tif 000007
【図７】
0006978135.tif 000008
【図８】
0006978135.tif 000009
【図９】
0006978135.tif 000010
【図１０】
0006978135.tif 000011
【図１１】
0006978135.tif 000012
【図１２】
0006978135.tif 000013
【図１３】
0006978135.tif 000014